(57)【要約】【課題】電子部品のメンテナンスに便利であり、且つコストを低減させることができる遮蔽カバー及びこれを用いる電子装置を提供すること。【解決手段】本発明に係る遮蔽カバーは、フレーム、カバー体及び回転軸を備える。前記フレーム及び前記カバー体のうちの何れか一方には２つの軸筒が設けられ、前記フレーム及び前記カバー体のうちの何れか他方には回転部が設けられる。前記回転軸が前記回転部に貫通され、且つ前記回転軸の両端がそれぞれ前記軸筒に係止されることによって、前記カバー体は前記フレームに枢着される。【選択図】図５
2012039112.tif 000002
【特許請求の範囲】
【請求項１】
フレーム、カバー体及び回転軸を備える遮蔽カバーであって、前記フレーム及び前記カバー体のうちの何れか一方には２つの軸筒が設けられ、前記フレーム及び前記カバー体のうちの何れか他方には回転部が設けられ、
前記回転軸が前記回転部に貫通され、且つ前記回転軸の両端がそれぞれ前記軸筒に係止されることによって、前記カバー体は前記フレームに枢着されることを特徴とする遮蔽カバー。
【請求項２】
前記カバー体は、複数の貫通孔が設けられている主体板及び前記主体板の周縁から折り曲げられて形成される複数の側板を備えることを特徴とする請求項１に記載の遮蔽カバー。
【請求項３】
前記複数の側板にはそれぞれ、複数の位置決め部及び複数の弾片が設けられ、前記複数の位置決め部のそれぞれの内面には、絞り加工により形成される突起が設けられ、前記フレームの側面には、複数の係止用孔が設けられ、
前記位置決め部の突起が前記フレームの係止用孔に係合され、前記弾片が前記フレームの側面に当止されることを特徴とする請求項２に記載の遮蔽カバー。
【請求項４】
少なくとも１つの電子部品が設けられる回路基板と、前記回路基板を覆うように設けられる遮蔽カバーと、を備える電子装置であって、
前記遮蔽カバーは、前記電子部品を外周を囲むように前記回路基板に固定されるフレームと、前記フレームに枢着され且つ前記電子部品を遮蔽するカバー体と、を備えることを特徴とする電子装置。
【請求項５】
前記フレーム及び前記カバー体のうちの何れか一方には２つの軸筒が設けられ、前記フレーム及び前記カバー体のうちの何れか他方には回転部が設けられ、
前記遮蔽カバーは、回転軸をさらに備え、前記回転軸が前記回転部に貫通され且つその両端がそれぞれ前記軸筒に係止されることによって、前記カバー体が前記フレームに対して回転できることを特徴とする請求項４に記載の電子装置。
【請求項６】
前記回転部は、前記カバー体の一方側部分に配設されたシート片を湾曲させることで形成され、前記カバー体の前記一方側の反対の他方側には、前記カバー体を前記フレームに対して開くための操作部が設けられることを特徴とする請求項５に記載の電子装置。
【発明の詳細な説明】
【技術分野】
【０００１】
本発明は、遮蔽カバー及びこれを用いる電子装置に関するものである。
【背景技術】
【０００２】
従来では、遮蔽カバーを設けることにより、電子装置の内部の電子部品を外界電磁波から隔離し、又は複数の電子部品の間の電磁気的な相互干渉を防止する。現在、常用の遮蔽カバーは、板材全体をスタンピング（ｓｔａｍｐｉｎｇ）して形成され、その上に予め折り目が設けられる。取付ける場合、半田を介して前記遮蔽カバーを電子装置の回路基板に接合して、保護を要する電子部品をシールドする。
【０００３】
しかし、前記遮蔽カバーに覆われている電子部品或いは回路基板をメンテナンスする必要があるとき、通常上記の折り目を介して前記遮蔽カバーを取り外すが、取り外された遮蔽カバーは再び使用することができない。したがって、別途に新しい遮蔽カバーを取り付けて前記電子部品を遮蔽しなければならないので、コストを増加させる問題がある。
【発明の概要】
【発明が解決しようとする課題】
【０００４】
本発明は、上記の問題点を解消するためのもので、電子部品のメンテナンスに便利であり、且つコストを低減させることができる遮蔽カバー及びこれを用いる電子装置を提供することを目的とする。
【課題を解決するための手段】
【０００５】
上記の目的を達成するために、本発明に係る遮蔽カバーは、フレーム、カバー体及び回転軸を備える。前記フレーム及び前記カバー体のうちの何れか一方には２つの軸筒が設けられ、前記フレーム及び前記カバー体のうちの何れか他方には回転部が設けられる。前記回転軸が前記回転部に貫通され、且つ前記回転軸の両端がそれぞれ前記軸筒に係止されることによって、前記カバー体は前記フレームに枢着される。
【０００６】
また、上記の目的を達成するために、本発明に係る電子装置は、少なくとも１つの電子部品が設けられる回路基板と、前記回路基板を覆うように設けられる遮蔽カバーと、を備える。前記遮蔽カバーは、前記電子部品を外周を囲むように前記回路基板に固定されるフレームと、前記フレームに枢着され且つ前記電子部品を遮蔽するカバー体と、を備える。
【発明の効果】
【０００７】
従来の技術と比較して、本発明の遮蔽カバーは、電子装置の回路基板に固定されるフレーム及び前記フレームに回転可能に枢着されるカバー体を備える。前記遮蔽カバーにシールドされている電子部品をメンテナンスする際には、前記カバー体を回転させて電子部品を露出させればよい。従って、本発明の構成によって、メンテナンスの過程で遮蔽カバーを取外す必要がなく、電子部品のメンテナンスが便利になるし、前記遮蔽カバー及び前記電子部品を損傷する問題も発生しなく、コストを低減することができる。
【図面の簡単な説明】
【０００８】
【図１】本発明の遮蔽カバーが電子装置の回路基板から分解されている状態を示す図である。
【図２】図１に示した遮蔽カバーと回路基板とを別の視点から見た分解図である。
【図３】図１に示した遮蔽カバーと回路基板との組立図である。
【図４】図３に示した遮蔽カバー及び回路基板の断面図である。
【図５】図１に示した遮蔽カバーと回路基板との組立図で、カバー体が回路基板に対して開放されている。
【発明を実施するための形態】
【０００９】
図１及び図２に示したように、本発明の実施形態に係る遮蔽カバー１００は、電子装置（図示せず）の回路基板８０に被覆されて装着される。前記回路基板８０には、少なくとも１つの電子部品８２が設けられている。前記遮蔽カバー１００は、矩形のフレーム１０、カバー体３０及び回転軸５０を備える。前記カバー３０は、前記回転軸５０を介して前記フレーム１０に回転可能に枢着され、且つ前記電子部品８２を覆う。
【００１０】
前記フレーム１０は、金属シートをスタンピングすることにより形成されてなり、且つ半田付け等の方法によって前記回路基板８０に固定される。前記フレーム１０は、順次に垂直に連接する四つの側壁１２と、四つの前記側壁１２により囲まれることで形成される収容空間１６と、を備える。前記電子部品８２は、前記収容空間１６内に設けられる。各側壁１２には、少なくとも１つの係止用孔１２２が設けられる。しかも、１つの前記側壁１２の上端には、前記収容空間１６側に向かって側壁１２に対して垂直に延伸する天井部１４が形成されている。前記天井部１４の一部は、切除されて切欠き１４４が形成される。前記側壁１２のうち、前記切欠き１４４に対応する箇所の内面（収容空間１６側の面）には、当該側壁１２の上端から前記収容空間１６の中央部に向かって突出する金属片をロール状に巻いて形成された２つの軸筒１４２が設けられており、この２つの軸筒１４２は、当該側壁１２の長手方向に沿って延在する。
【００１１】
前記軸筒１４２の具体的な成形方法は、以下のようになる。まず、前記天井部１４の一部を切除することにより、切欠き１４４及び前記切欠き１４４の両端に位置する２つの金属片を形成する。次に、各金属片をアーク状に湾曲させてから、コイリング（ｃｏｉｌｉｎｇ）することによって前記アーク状の金属片に絶えず圧力を加えて、所望の軸筒１４２を形成する。本実施形態では、各軸筒１４２と前記切欠き１４４の端面との間に一定の間隙を空けて、前記回転軸５０の端部に適当な収容空間を形成する。
【００１２】
前記カバー体３０は、金属板材をスタンピングすることにより成形され、前記フレーム１０に係合される。前記カバー体３０は、主体板３２、前記主体板３２の周縁部から折り曲げられて形成される三つの側板３４及び１つの回転部３６を備える。前記主体板３２には、放熱するための複数の貫通孔３２２が設けられている。前記貫通孔３２２の形状及びサイズは、前記電子部品８２の周波数、体積及び放熱需要等の要素によって変更される。三つの前記側板３４は、それぞれ前記主体板３２に対して略垂直であり、前記フレーム１０の側壁１２を囲むために用いられる。各側板３４には、複数の位置決め部３４２及び複数の弾片３４４が設けられている。前記位置決め部３４２と前記弾片３４４とは、互いに離間して設けられる。各位置決め部３４２の内面には、絞り加工によって前記フレーム１０の係止用孔１２２に係合される突起３４６（図５を参照）が設けられている。前記弾片３４４は、略「Ｓ」字状を呈し、前記カバー体３０が前記フレーム１０に係合された後、前記弾片３４４が変形されて前記フレーム１０を挟むように各側壁１２に当止される。前記回転部３６に対向する側板３４の中央部には、前記カバー体３０を開くために用いられる操作部３４８が設けられている。
【００１３】
前記回転部３６は、前記主体板３２の１つの長辺の中央部に設けられ、その長さが２つの前記軸筒１４２の間の距離に等しいので、前記回転部３６を２つの前記軸筒１４２の間に設置することができる。前記回転部３６の成形方法は、前記軸筒１４２とほぼ同じである。即ち、前記主体板３２の片側に金属シートをリザーブして、この金属シートをアーク状に湾曲してから、コイリングすることによって前記アーク状のシートに絶えず圧力を加えて、所望の円筒状の回転部３６を形成する。
【００１４】
前記回転軸５０は、前記回転部３６に収納され、且つその両端がそれぞれ前記軸筒１４２に係止される。前記回転軸５０の両端をそれぞれ前記軸筒１４２に貫通させるため、前記回転軸５０全体の長さを２つの前記軸筒１４２の間の距離より長くしなければならない。
【００１５】
図３及び図４に示したように、前記遮蔽カバー１００を組立てる場合、まず前記回転軸５０を前記カバー体３０の回転部３６に貫通させて、その両端をそれぞれ前記フレーム１０の２つの軸筒１４２に係止する。次に、前記カバー体３０で前記収容空間１６を覆うように前記カバー体３０を回転させて、その側板３４の突起３４６を前記フレーム１０の側壁１２の係止用孔１２２に係合させると共に、その弾片３４４を前記側壁１２に当止させる。これにより、前記カバー体３０が前記フレーム１０に係合され、前記遮蔽カバー１００の組立が完了する。最後、半田によって前記遮蔽カバー１００の底面を前記回路基板８０に接合して、前記カバー体３０で前記電子部品８２をシールドしてそれを電磁波から隔離する。
【００１６】
図５に示したように、前記遮蔽カバー１００内の電子部品８２をメンテナンスする場合、前記操作部３４８を前記フレーム１０から離れるように引張って、前記カバー体３０の突起３４６をそれぞれ前記フレーム１０の係止用孔１２２から離脱させ、前記弾片３４４と前記側壁１２との当止を解除する。次いで、前記カバー体３０を前記回転軸５０の回りに回転させて、前記カバー体３０を前記フレーム１０に対して完全に開放させる。これにより、前記電子部品８２をメンテナンスすることができる。メンテナンスが終了したら、反対方向に沿って前記カバー体３０を回転させて、それを前記フレーム１０に係合させればよい。上記の過程で、前記遮蔽カバー１００を取外す必要がなく、前記遮蔽カバー１００及び前記電子部品８２が損傷する問題が発生せず、コストを低減させることができる。
【００１７】
また、２つの前記軸筒１４２を前記カバー体３０に設けると共に、前記回転部３６を前記フレーム１０に設けても良く、つまり、前記回転軸５０を介して前記カバー体３０を前記フレーム１０に枢着できさえすればよい。
【００１８】
また、前記カバー体３０の側板３４の数は、三つに限定されるものではなく、２つであってもよい。同様にして、前記位置決め部３４２及び前記弾片３４４の数を実際の必要に応じて増減することができる。
【００１９】
本発明の実施形態によると、前記遮蔽カバー１００のカバー体３０は、前記回転軸５０を介して前記フレーム１０に枢着されるため、前記遮蔽カバー１００にシールドされている前記電子部品８２をメンテナンスする場合、前記遮蔽カバー１００を取外さずに、前記カバー体３０と前記フレーム１０との係合を解除してから、前記カバー体３０を回転させて前記電子部品８２を露出させればよい。従って、本発明の遮蔽カバーによって、電子部品のメンテナンスが便利になるし、メンテナンスの過程で、前記遮蔽カバー１００を取外す必要がなく、前記遮蔽カバー１００及び前記電子部品８２が損傷する問題が発生せず、コストを低減させることができる。
【００２０】
以上、本発明の好適な実施形態について詳細に説明したが、本発明は前記実施形態に制限されるものではなく、本発明の範囲内で種々の変形又は修正が可能であり、該変形又は修正もまた、本発明の特許請求の範囲内に含まれるものであることは、いうまでもない。
【符号の説明】
【００２１】
１０              フレーム
１２              側壁
１４              天井部
１６              収容空間
３０              カバー体
３２              主体板
３４              側板
３６              回転部
５０              回転軸
８０              回路基板
８２              電子部品
１００            遮蔽カバー
１２２            係止用孔
１４２            軸筒
１４４            切欠き
３２２            貫通孔
３４２            位置決め部
３４４            弾片
３４６            突起
３４８            操作部
【図１】
2012039112.tif 000003
【図２】
2012039112.tif 000004
【図３】
2012039112.tif 000005
【図４】
2012039112.tif 000006
【図５】
2012039112.tif 000007